(57)【要約】      （修正有）【課題】誘導灯器具が大型化することなく、かつ、重量が嵩むおそれもなく、容易に施工できる避難誘導システムを提供する。【解決手段】避難誘導システム１０は、避難口の位置を示す誘導表示器１００と、該誘導表示器１００とは別個に設けられ、該誘導表示器１００から電力を供給され非常状態を報知する報知器２００と、を備える。報知器２００は、誘導表示器１００に近接配置され、音声および光の点滅により非常時に避難誘導を行う。【選択図】図１
2020129302.tif 000002
【特許請求の範囲】
【請求項１】
避難口の位置を示す誘導表示器と、
前記誘導表示器とは別個に設けられ、前記誘導表示器から電力を供給され非常状態を報知する報知器と、
を備えることを特徴とする避難誘導システム。
【請求項２】
前記誘導表示器は、
バッテリと、
外部電源から電力を供給され前記バッテリを充電する回路ユニット部と、
を備え、
前記バッテリから、または、前記外部電源から前記回路ユニット部を介して、前記報知器に電力が供給されることを特徴とする請求項１に記載の避難誘導システム。
【請求項３】
前記誘導表示器は、
避難口の位置を示す表示部と、
前記バッテリから電力を供給され、または、前記外部電源から前記回路ユニット部を介して電力を供給され、前記表示部を照らす光源部と、
を備えることを特徴とする請求項２に記載の避難誘導システム。
【請求項４】
前記誘導表示器は、前記バッテリと、前記回路ユニット部と、を有する本体部を備え、
前記光源部は、前記本体部が取り付けられる被取付面に沿って前記本体部に差し込まれることで、前記本体部に取り付けられることを特徴とする請求項３に記載の避難誘導システム。
【請求項５】
前記誘導表示器は電力出力部を備え、
前記報知器は、前記電力出力部から非接触で電力の供給を受ける電力入力部を有することを特徴とする請求項１から４の何れか１項に記載の避難誘導システム。
【請求項６】
前記誘導表示器と前記報知器の一方には凹部が設けられ、
前記誘導表示器と前記報知器の他方には凸部が設けられ、
前記凹部と前記凸部が嵌合することで、前記電力出力部と前記電力入力部は対向することを特徴とする請求項５に記載の避難誘導システム。
【請求項７】
前記誘導表示器と前記報知器にはそれぞれ位置合わせマークが設けられ、
前記位置合わせマークに基づき前記誘導表示器に対する前記報知器の位置を合わせることで、前記電力出力部と前記電力入力部は対向することを特徴とする請求項５に記載の避難誘導システム。
【請求項８】
前記誘導表示器は電力出力部を備え、
前記報知器は、前記電力出力部から有線で電力の供給を受ける電力入力部を有することを特徴とする請求項１から４の何れか１項に記載の避難誘導システム。
【請求項９】
前記電力出力部は、前記誘導表示器のうち前記報知器と隣接する端部に設けられ、
前記電力入力部は、前記報知器のうち前記誘導表示器と隣接する端部に設けられ、
前記電力出力部と前記電力入力部は対向することを特徴とする請求項５から８の何れか１項に記載の避難誘導システム。
【請求項１０】
前記報知器は、発光により非常状態を報知する発光部を備えることを特徴とする請求項１から９の何れか１項に記載の避難誘導システム。
【請求項１１】
前記報知器は、音声により非常状態を報知する音声発生器を備えることを特徴とする請求項１から１０の何れか１項に記載の避難誘導システム。
【請求項１２】
前記報知器は、
発光により非常状態を報知する発光部と、
音声により非常状態を報知する音声発生器と、
を備え、
前記発光部と前記音声発生器とは別個に設けられ、
前記電力出力部は、前記発光部に電力を供給する第１電力出力部と、前記音声発生器に電力を供給する第２電力出力部と、を有することを特徴とする請求項５から９の何れか１項に記載の避難誘導システム。
【発明の詳細な説明】
【技術分野】
【０００１】
本発明は、避難誘導システムに関する。
【背景技術】
【０００２】
特許文献１には、避難口の場所および方向を知らせるためのキセノンランプユニットと、誘導音声ユニットを有する誘導灯器具が開示されている。非常時にはスピーカからの音声とキセノンランプの点滅によって誘導を行うことができる。
【先行技術文献】
【特許文献】
【０００３】
【特許文献１】特開２０００−３４００１３号公報
【発明の概要】
【発明が解決しようとする課題】
【０００４】
特許文献１では、キセノンランプユニットと誘導音声ユニットとが一体となっている。このため、誘導灯器具が大型化し、重量が嵩むおそれがある。従って、器具を天井などに設置する場合は、施工が困難となる可能性があった。
【０００５】
本発明は、上述の課題を解決するためになされたもので、容易に施工できる避難誘導システムを得ることを目的とする。
【課題を解決するための手段】
【０００６】
本発明に係る避難誘導システムは、避難口の位置を示す誘導表示器と、該誘導表示器とは別個に設けられ、該誘導表示器から電力を供給され非常状態を報知する報知器と、を備える。
【発明の効果】
【０００７】
本発明に係る避難誘導システムでは、誘導表示器と報知器を別個に構成する。このため、誘導表示器と報知器をそれぞれ設置すればよく、大型の器具を天井等に設置するよりも容易に施工できる。
【図面の簡単な説明】
【０００８】
【図１】実施の形態１に係る避難誘導システムの正面図および平面図である。
【図２】実施の形態１に係る誘導表示器の正面図および平面図である。
【図３】実施の形態１に係る本体部の正面図および平面図である。
【図４】実施の形態１に係る誘導表示器の分解斜視図である。
【図５】実施の形態１に係る報知器の３面図である。
【図６】実施の形態１に係る報知器から化粧カバーを外した状態を示す３面図である。
【図７】実施の形態１に係る避難誘導システムの回路ブロック図である。
【図８】実施の形態１に係る避難誘導システムから表示部と化粧カバーを外した状態を示す正面図および平面図である。
【図９】実施の形態１の第１の変形例に係る誘導表示器の分解斜視図である。
【図１０】実施の形態１の第２の変形例に係る避難誘導システムの正面図である。
【図１１】実施の形態１の第３の変形例に係る避難誘導システムの正面図である。
【図１２】実施の形態１の第３の変形例に係る避難誘導システムの回路ブロック図である。
【図１３】実施の形態１の第４の変形例に係る避難誘導システムの正面図である。
【図１４】実施の形態１の第５の変形例に係る誘導表示器と報知器の側面図である。
【図１５】実施の形態１の第６の変形例に係る避難誘導システムの斜視図である。
【図１６】実施の形態１の第６の変形例に係る報知器の斜視図である。
【図１７】実施の形態１の第６の変形例に係る避難誘導システムが天井に取り付けられた状態を示す斜視図である。
【図１８】実施の形態１の第６の変形例に係る報知器が天井に取り付けられた状態を示す斜視図である。
【発明を実施するための形態】
【０００９】
本発明の実施の形態に係る避難誘導システムについて図面を参照して説明する。同じ又は対応する構成要素には同じ符号を付し、説明の繰り返しを省略する場合がある。
【００１０】
実施の形態１．
図１は、実施の形態１に係る避難誘導システム１０の正面図および平面図である。避難誘導システム１０は、避難口の位置を示す誘導表示器１００と、非常状態を報知する報知器２００とを備える。誘導表示器１００は、誘導灯、表示灯、避難口誘導標識とも呼ばれる。報知器２００は、誘導表示器１００とは別個に設けられ、誘導表示器１００に近接配置される。報知器２００は、音声および光の点滅により非常時に避難誘導を行う。
【００１１】
図２は、実施の形態１に係る誘導表示器１００の正面図および平面図である。誘導表示器１００は、本体部１１０と、表示部１３０と、光源部１４０を備える。表示部１３０は避難口の位置を示す。表示部１３０は本体部１１０に取り付けられる。光源部１４０は表示部１３０の上方に設けられ、表示部１３０を照らす。また、光源部１４０は表示部１３０を発光させても良い。光源部１４０は光源として例えばＬＥＤを有する。光源部１４０は、表示部１３０に当接するように本体部１１０に取り付けられる。本体部１１０には、収容部材が収容されている。
【００１２】
図３は、実施の形態１に係る本体部１１０の正面図および平面図である。図４は、実施の形態１に係る誘導表示器１００の分解斜視図である。本体部１１０は、周枠部１１１と、底板部１１２とを有する。周枠部１１１には、ローレットナット１１８により天井取付金具１１７が取り付けられる。底板部１１２には取付穴１１６が設けられる。取付穴１１６は壁取付用のノックアウト穴である。天井取付金具１１７および取付穴１１６は、天井または壁などの被取付部に本体部１１０を取り付けるための取付機構である。
【００１３】
また、底板部１１２には、収容部材を取り付ける部品取付機構１１３が設けられる。部品取付機構１１３は周枠部１１１に設けられても良い。図３、図４では、部品取付機構１１３によってバッテリ１２２が保持されている。
【００１４】
また、周枠部１１１および底板部１１２には、電源穴１１４、１１５がそれぞれ設けられる。電源穴１１４、１１５は電源線を本体部１１０内部に通すために設けられる。電源穴１１４は天井取付用のノックアウト穴である。電源穴１１５は壁取付用のノックアウト穴である。
【００１５】
本体部１１０に収容される収容部材は、回路ユニット部１２１と、バッテリ１２２と、端子台１２３と、電力を外部に出力する電力出力部１２４を含む。バッテリ１２２は、例えば蓄電池である。バッテリ１２２は、停電などの災害時に避難誘導システム１０を動作させるために設けられる。バッテリ１２２は、電線および蓄電池コネクタ１２２ａを介して回路ユニット部１２１に接続される。
【００１６】
端子台１２３は、電線を介して回路ユニット部１２１に接続される。また、端子台１２３には、外部から引き込まれた電源線が接続される。電力出力部１２４は、回路ユニット部１２１に接続され、電力を外部に出力する。電力出力部１２４は、例えば非接触給電用のコイルである。
【００１７】
なお、回路ユニット部１２１は、バッテリ１２２または光源部１４０の寿命が尽きていないかを点検するための点検機能を有しても良い。誘導表示器１００は、回路ユニット部１２１に点検を実施させるための点検スイッチ１２５を有しても良い。また、誘導表示器１００は、リモコンにより操作されても良い。誘導表示器１００は、リモコン受光部１２６を有しても良い。また、回路ユニット部１２１はリセットスイッチ１２１ａを有しても良い。リセットスイッチ１２１ａは、例えば非常状態からの復帰時等に回路ユニット部１２１を初期化するために用いられる。
【００１８】
図５は、実施の形態１に係る報知器２００の３面図である。図６は、実施の形態１に係る報知器２００から化粧カバー２２０を外した状態を示す３面図である。報知器２００は、本体ケース２１０と、本体ケース２１０に取り付けられる化粧カバー２２０と、報知回路部２３０と、発光部２４０と、音声発生器２５０と、電力入力部２６０とを備える。報知回路部２３０と、発光部２４０と、音声発生器２５０と、電力入力部２６０は本体ケース２１０に内蔵される。音声発生器２５０は、この実施の形態では例えばスピーカである。なお、音声発生器２５０はピエゾ素子などであっても良い。
【００１９】
化粧カバー２２０には開口２２２が設けられる。発光部２４０は、開口２２２から突出する。また、化粧カバー２２０には複数の開口２２１が設けられる。複数の開口２２１は、音声発生器２５０と重なる位置に設けられる。
【００２０】
報知器２００において、発光部２４０と音声発生器２５０とを近接配置すると良い。これにより、報知器２００を小型化できる。また、発光部２４０と音声発生器２５０は、本体ケース２１０のうち化粧カバー２２０と対向する主面に配置される。これに限らず、発光部２４０と音声発生器２５０の一方を本体ケース２１０のうち化粧カバー２２０と対向する主面に配置し、他方を本体ケース２１０の側面に配置しても良い。
【００２１】
また、発光部２４０は光源としてＬＥＤを有しても良い。一般に、キセノンランプをスピーカの近傍に配置すると、キセノンランプの点滅時にスピーカが出力する音声に雑音が重畳されるおそれがある。光源としてＬＥＤを用いることで、光源の点滅時に発生する雑音を低減できる。従って、発光部２４０をスピーカの近くに設置できる。
【００２２】
図７は、実施の形態１に係る避難誘導システム１０の回路ブロック図である。誘導表示器１００において、回路ユニット部１２１は、端子台１２３および電源線を介して、外部電源ＡＣから電力を供給される。外部電源ＡＣは例えばＡＣ１００Ｖの商用電源である。回路ユニット部１２１は、外部電源ＡＣを電力変換して、バッテリ１２２を充電する。回路ユニット部１２１は、例えば交流電源を直流電源に変換する。また、回路ユニット部１２１は、光源部１４０に電力を供給して点灯させる。また、回路ユニット部１２１は、外部電源ＡＣが供給されないときは、バッテリ１２２から電力供給を受けて動作し、光源部１４０を点灯させる。
【００２３】
このように、光源部１４０は、バッテリ１２２から電力を供給され、または、外部電源ＡＣから回路ユニット部１２１を介して電力を供給され、表示部１３０を照らす。これにより、外部電源ＡＣの供給の有無によらず、光源部１４０により表示部１３０を照らすことができる。
【００２４】
また、回路ユニット部１２１は、外部電源ＡＣから電力を供給され、電力出力部１２４から報知器２００に電力を供給する。また、回路ユニット部１２１は、外部電源ＡＣが供給されないときは、バッテリ１２２から電力を供給され、電力出力部１２４から報知器２００に電力を供給する。
【００２５】
報知器２００は、誘導表示器１００から電力を供給され非常状態を報知する。電力入力部２６０は、電力出力部１２４から非接触で電力の供給を受ける。電力入力部２６０は例えば非接触給電用のコイルである。
【００２６】
発光部２４０、音声発生器２５０および電力入力部２６０は、報知回路部２３０に接続される。報知回路部２３０は、電力入力部２６０を介し、誘導表示器１００から電力を供給される。発光部２４０は、報知回路部２３０を介して電力入力部２６０から電力を供給され、発光により非常状態を報知する。音声発生器２５０は、報知回路部２３０を介して電力入力部２６０から電力を供給され、音声により非常状態を報知する。
【００２７】
図８は、実施の形態１に係る避難誘導システム１０から表示部１３０と化粧カバー２２０を外した状態を示す正面図および平面図である。電力出力部１２４は、誘導表示器１００のうち報知器２００と隣接する端部に設けられる。また、電力入力部２６０は、報知器２００のうち誘導表示器１００と隣接する端部に設けられる。電力出力部１２４と電力入力部２６０は対向する。これにより、電力出力部１２４から電力入力部２６０に効率よく給電できる。
【００２８】
次に、誘導表示器１００と報知器２００の設置方法について説明する。まず、本体部１１０の取付機構を被取付部にネジなどで固定する。被取付部は例えば天井面または壁面である。次に、電源穴１１４または電源穴１１５に電源線を通して、電源線を本体部１１０の内部に引き込む。電源穴１１４、１１５は電源線挿入口である。次に、電源線を端子台１２３に接続する。
【００２９】
このあと、本体部１１０に表示部１３０および光源部１４０をこの順で取り付ける。避難誘導システム１０が天井に取り付けられる場合、光源部１４０は、本体部１１０が取り付けられる被取付面に沿って本体部１１０に差し込まれることで、本体部１１０に取り付けられる。これにより、本体部１１０が天井に取り付けられた状態でも光源部１４０を容易に取り付けできる。
【００３０】
次に、本体部１１０と隣り合うように、報知器２００の本体ケース２１０を被取付部に取り付ける。この際、電力入力部２６０と電力出力部１２４とが電気的または電磁気的に結合するように、誘導表示器１００と本体ケース２１０とを近接させる。次に、本体ケース２１０に化粧カバー２２０を取り付ける。なお、化粧カバー２２０は予め本体ケース２１０に取り付けられていても良い。
【００３１】
本実施の形態では、誘導表示器１００と報知器２００とを別体として分けている。このため、誘導表示器１００と報知器２００とが一体化された器具よりも、誘導表示器１００と報知器２００を小さくできる。また、誘導表示器１００と報知器２００とが一体化された器具よりも、誘導表示器１００と報知器２００とを軽くできる。このため、軽量の誘導表示器１００と報知器２００とをそれぞれ被取付部に取り付ければ良く、避難誘導システム１０を容易に施工できる。
【００３２】
特に、報知器２００は誘導表示器１００から電力を供給され動作する。このため、報知器２００にバッテリを内蔵する必要が無く、報知器２００の構成部品を削減できる。従って、報知器２０の小型化、軽量化および低コスト化が可能となる。また、誘導表示器１００から報知器２００に非接触で電力を供給するため、報知器２００を電源線に接続する必要がない。さらに、誘導表示器１００と報知器２００とを電線で接続する必要がない。従って、報知器２００を容易に取り付けられる。
【００３３】
なお、本実施の形態では、バッテリ１２２から、または、外部電源ＡＣから回路ユニット部１２１を介して、報知器２００に電力が供給される。報知器２００は、常用時には外部電源ＡＣから回路ユニット部１２１を介して電力を供給され動作する。また、報知器２００は、非常時にはバッテリ１２２から回路ユニット部１２１を介して電力を供給され動作する。なお、非常時においても外部電源ＡＣからの給電が可能であれば、外部電源ＡＣから回路ユニット部１２１を介して、報知器２００に電力が供給されても良い。
【００３４】
報知器２００は、常用時には発光部２４０を一定の明るさで点灯させても良い。また、報知器２００は、停電時には発光部２４０を点滅させても良い。また、報知器２００は、常用時には音声発生器２５０を動作させず、非常時には音声発生器２５０から避難を促す音声を発生させても良い。
【００３５】
また、誘導表示器１００は、非常時にのみ報知器２００に電力を供給しても良い。この場合、報知器２００は非常時のみに動作する。つまり、報知回路部２３０は、電力供給を受けると発光部２４０を点滅動作させ、音声発生器２５０から音声を出力させる。このため、報知器２００は常用時と非常時とを判別する必要がない。従って、報知回路部２３０の回路構成および制御を簡易にできる。
【００３６】
また、誘導表示器１００は、一般に、常用時においても表示部１３０を照らすことが必要とされる場合がある。本実施の形態では、誘導表示器１００が外部電源ＡＣから給電を受ける。このため、常用時は外部電源ＡＣからの給電により、光源部１４０の点灯状態を維持できる。一方で、常用時に動作する必要がない報知器２００は、外部電源ＡＣから給電されない。これにより、誘導表示器１００の機能を維持しつつ、報知器２００を小型化できる。
【００３７】
また、一般に表示部１３０は、一定の大きさを有する必要がある。このため、誘導表示器１００では、表示部１３０の大きさに律速されて小型化が制限される場合がある。このような事情から、図３に示されるように、本体部１１０の内部に余剰なスペースが発生することがある。余剰なスペースが存在する誘導表示器１００に、外部電源ＡＣから給電を受ける回路ユニット部１２１およびバッテリ１２２を配置することで、スペースを有効に活用できる。また、本体部１１０の余剰なスペースに電力出力部１２４を配置できる。このため、電力出力部１２４を設けたことによる誘導表示器１００の大型化を抑制できる。
【００３８】
図９は、実施の形態１の第１の変形例に係る誘導表示器１００ａの分解斜視図である。図９に示されるように、本体部１１０の余剰なスペースを削減するように、誘導表示器１００ａを小型化しても良い。
【００３９】
図１０は、実施の形態１の第２の変形例に係る避難誘導システム１０ａの正面図である。本実施の形態では、報知器２００が発光部２４０と音声発生器２５０の両方を備える場合について説明したが、いずれか一方のみを備えても良い。避難誘導システム１０ａは、誘導表示器１００と報知器２００ａを備える。報知器２００ａは、発光部２４０を備え、音声発生器２５０を備えない。これにより、報知器２００ａをさらに小型化できる。
【００４０】
図１１は、実施の形態１の第３の変形例に係る避難誘導システム１０ｂの正面図である。避難誘導システム１０ｂは、誘導表示器１００ｂと、報知器２００ｂとを備える。報知器２００ｂは、第１報知器２０１ｂと第２報知器２０２ｂから構成される。第１報知器２０１ｂと第２報知器２０２ｂは、別個に設けられる。第１報知器２０１ｂは発光部２４０を備える。第２報知器２０２ｂは音声発生器２５０を備える。また、第１報知器２０１ｂと第２報知器２０２ｂは、それぞれ誘導表示器１００ｂと近接して設置される。
【００４１】
図１２は、実施の形態１の第３の変形例に係る避難誘導システム１０ｂの回路ブロック図である。誘導表示器１００ｂは、発光部２４０に電力を供給する第１電力出力部１２４ａと、音声発生器２５０に電力を供給する第２電力出力部１２４ｂとを有する。
【００４２】
第１報知器２０１ｂは、第１電力入力部２６１と、第１回路部２３１と、発光部２４０を備える。第１回路部２３１は、第１電力入力部２６１を介して第１電力出力部１２４ａから電力を供給され、発光部２４０を点灯させる。
【００４３】
第２報知器２０２ｂは、第２電力入力部２６２と、第２回路部２３２と、音声発生器２５０を備える。第２回路部２３２は、第２電力入力部２６２を介して第２電力出力部１２４ｂから電力を供給され、音声発生器２５０から音声を出力させる。
【００４４】
第３の変形例では、第１報知器２０１ｂと第２報知器２０２ｂをさらに小型化できる。また、第１報知器２０１ｂと第２報知器２０２ｂの一方を選択して使用することで、避難誘導システム１０ｂの機能を目的に応じて変更できる。
【００４５】
図１３は、実施の形態１の第４の変形例に係る避難誘導システム１０ｃの正面図である。避難誘導システム１０ｃは、誘導表示器１００ｃと報知器２００ｃとを備える。なお、図１３では説明のため、誘導表示器１００ｃと報知器２００ｃとが離れた状態で示されている。誘導表示器１００ｃのうち周枠部１１１の報知器２００ｃと隣接する側面には、凸部１１１ａが設けられる。報知器２００ｃのうち本体ケース２１０の誘導表示器１００ｃと隣接する側面には、凹部２１０ａが設けられる。
【００４６】
凹部２１０ａと凸部１１１ａが嵌合することで、電力出力部１２４と電力入力部２６０は対向する。凹部２１０ａと凸部１１１ａは、電力入力部２６０から電力出力部１２４への給電の効率が最も高くなるように位置が調節されている。これにより、電力入力部２６０から電力出力部１２４へ効率良く給電できる。これに限らず、誘導表示器１００ｃと報知器２００ｃの一方に凹部が設けられ、他方に凹部と嵌合する凸部が設けられれば良い。
【００４７】
図１４は、実施の形態１の第５の変形例に係る誘導表示器１００ｄと報知器２００ｄの側面図である。上述の凹部２１０ａと凸部１１１ａに代えて、位置合わせマーク１１１ｂ、２１０ｂを設けても良い。誘導表示器１００ｄのうち周枠部１１１の報知器２００ｄと隣接する側面には、位置合わせマーク１１１ｂが設けられる。報知器２００ｄのうち本体ケース２１０の誘導表示器１００ｄと隣接する側面には、位置合わせマーク２１０ｂが設けられる。
【００４８】
位置合わせマーク１１１ｂ、２１０ｂに基づき誘導表示器１００ｄに対する報知器２００ｄの位置を合わせることで、電力出力部１２４と電力入力部２６０は対向する。これにより、電力入力部２６０から電力出力部１２４へ効率良く給電できる。
【００４９】
また、電力入力部２６０は、電力出力部１２４から有線で電力の供給を受けても良い。
【００５０】
図１５は、実施の形態１の第６の変形例に係る避難誘導システム１０ｅの斜視図である。図１６は、実施の形態１の第６の変形例に係る報知器２００ｅの斜視図である。図１７は、実施の形態１の第６の変形例に係る避難誘導システム１０ｅが天井３００に取り付けられた状態を示す斜視図である。図１８は、実施の形態１の第６の変形例に係る報知器２００ｅが天井３００に取り付けられた状態を示す斜視図である。
【００５１】
避難誘導システム１０ｅは、誘導表示器１００と報知器２００ｅを備える。避難誘導システム１０ｅは天井埋込形誘導灯器具である。避難誘導システム１０ｅにおいて、報知器２００ｅは誘導表示器１００の上方に設けられる。報知器２００ｅは天井３００に埋め込まれる。誘導表示器１００は天井３００から下方に突出する。
【００５２】
報知器２００ｅは、本体ケース２１０ｅと、板部２１１ｅと、発光部２４０ｅを備える。本体ケース２１０ｅは天井３００に埋め込まれる。板部２１１ｅは本体ケース２１０ｅの下面に設けられ、天井３００から露出する。発光部２４０ｅは、板部２１１ｅの下面に設けられ、天井３００から露出し、下方を照らす。誘導表示器１００は、板部２１１ｅの下面に取り付けられる。
【００５３】
避難誘導システム１０ｅでは、報知器２００ｅが天井３００に埋め込まれることで、意匠性を向上できる。また、避難誘導システム１０ｅが設置される空間において、避難誘導システム１０ｅが占有するスペースを低減できる。
【００５４】
音声発生器２５０は、発光部２４０ｅの隣に配置されても良い。また、音声発生器２５０はピエゾ素子を有しても良い。これにより、表示部１３０から音声が出力されるようにしても良い。この場合、スピーカが天井３００から露出する構成と比較して、意匠性を向上できる。
【００５５】
また、発光部２４０ｅにＬＥＤを採用することで、発光部２４０ｅを小型化できる。これにより、発光部２４０ｅの配置の自由度が向上する。例えば点滅用の発光部２４０ｅを、表示部１３０の下方において床方向を照射するように配置しても良い。
【００５６】
なお、本実施の形態で説明した技術的特徴は適宜に組み合わせて用いてもよい。
【符号の説明】
【００５７】
１０、１０ａ、１０ｂ、１０ｃ、１０ｅ  避難誘導システム、２０  報知器、１００、１００ａ、１００ｂ、１００ｃ、１００ｄ  誘導表示器、１１０  本体部、１１１  周枠部、１１１ａ  凸部、１１１ｂ  位置合わせマーク、１１２  底板部、１１３  部品取付機構、１１４、１１５  電源穴、１１６  取付穴、１１７  天井取付金具、１１８  ローレットナット、１２１  回路ユニット部、１２１ａ  リセットスイッチ、１２２  バッテリ、１２２ａ  蓄電池コネクタ、１２３  端子台、１２４  電力出力部、１２４ａ  第１電力出力部、１２４ｂ  第２電力出力部、１２５  点検スイッチ、１２６  リモコン受光部、１３０  表示部、１４０  光源部、２００、２００ａ、２００ｂ、２００ｃ、２００ｄ、２００ｅ  報知器、２０１ｂ  第１報知器、２０２ｂ  第２報知器、２１０  本体ケース、２１０ａ  凹部、２１０ｂ  位置合わせマーク、２１０ｅ  本体ケース、２１１ｅ  板部、２２０  化粧カバー、２２１、２２２  開口、２３０  報知回路部、２３１  第１回路部、２３２  第２回路部、２４０、２４０ｅ  発光部、２５０  音声発生器、２６０  電力入力部、２６１  第１電力入力部、２６２  第２電力入力部、３００  天井、ＡＣ  外部電源
【図１】
2020129302.tif 000003
【図２】
2020129302.tif 000004
【図３】
2020129302.tif 000005
【図４】
2020129302.tif 000006
【図５】
2020129302.tif 000007
【図６】
2020129302.tif 000008
【図７】
2020129302.tif 000009
【図８】
2020129302.tif 000010
【図９】
2020129302.tif 000011
【図１０】
2020129302.tif 000012
【図１１】
2020129302.tif 000013
【図１２】
2020129302.tif 000014
【図１３】
2020129302.tif 000015
【図１４】
2020129302.tif 000016
【図１５】
2020129302.tif 000017
【図１６】
2020129302.tif 000018
【図１７】
2020129302.tif 000019
【図１８】
2020129302.tif 000020